【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
残高情報とカード識別情報を含んだカード情報を記憶するＩＣカードに近接させることで、前記残高情報に基づいて請求情報の決済処理を実行するインターネット接続機能を備えた携帯情報端末において、
前記ＩＣカードと近接させることで、前記ＩＣカードから前記カード情報を取得する端末側アンテナと、
ユーザが前記携帯情報端末においてインターネット接続によるネットショッピングを行った際、購入する商品やコンテンツを確定した後、ユーザに前記携帯情報端末への前記ＩＣカードの近接操作を促す近接操作要求処理と、
前記近接操作において、前記端末側アンテナを介して前記ＩＣカードと通信した際に、前記携帯情報端末がミュート状態に設定されている場合においても、前記携帯情報端末に備えられたスピーカから決済に特徴付けられた可聴音を出力する放音処理と、
前記ＩＣカードに記憶される前記残高情報から前記商品やコンテンツの購入に関して支払うべき前記請求情報の引き去りを行う決済処理と、を実行する制御手段と、を備えたことを特徴とする
携帯情報端末。
【請求項２】
前記制御手段は、
前記近接操作にて前記ＩＣカードから読み取った前記カード識別情報と、前記携帯情報端末に設けられた記憶手段に予め記憶された登録識別情報を照合する事前認証処理を実行し、
前記事前認証処理にて認証された場合、前記ＩＣカードに記憶される前記残高情報から
前記請求金額の引き去りを行う決済処理を実行することを特徴とする
請求項１に記載の携帯情報端末。
【請求項３】
前記カード識別情報及び登録識別情報は、前記ＩＣカードの券面に表記された第１のカード識別情報又は前記ＩＣカードの券面に表記されていない第２のカード識別情報であることを特徴とする
請求項１または２に記載の携帯情報端末。
【請求項４】
残高情報とカード識別情報を含んだカード情報を記憶するＩＣカードに近接させることで、前記残高情報に基づいて請求情報の決済処理を実行するインターネット接続機能を備えた携帯情報端末の制御手段によって実行される情報処理方法であって、
ユーザが前記携帯情報端末をインターネット接続してネットショッピングを行った際、購入する商品やコンテンツを確定した後、ユーザに前記携帯情報端末への前記ＩＣカードの近接操作を促す近接操作要求ステップと、
前記近接操作において、前記携帯情報端末に設けられた端末側アンテナを介して前記ＩＣカードと通信した際に、前記携帯情報端末がミュート状態に設定されている場合においても、前記携帯情報端末に備えられたスピーカから決済に特徴付けられた可聴音を出力する放音ステップと、
前記ＩＣカードに記憶される前記残高情報から前記商品やコンテンツの購入に関して支払うべき前記請求情報の引き去りを行う決済処理ステップと、を含むことを特徴とする
情報処理方法。
【請求項５】
残高情報とカード識別情報を含んだカード情報を記憶するＩＣカードに近接させることで、前記残高情報に基づいて請求情報の決済処理を実行するインターネット接続機能を備えた携帯情報端末において実行可能な情報処理プログラムであって、
前記携帯情報端末の制御手段に、
ユーザが前記携帯情報端末をインターネット接続してネットショッピングを行った際、購入する商品やコンテンツを確定した後、ユーザに前記携帯情報端末への前記ＩＣカードの近接操作を促す近接操作要求処理と、
前記近接操作において、前記携帯情報端末に設けられた端末側アンテナを介して前記ＩＣカードと通信した際に、前記携帯情報端末がミュート状態に設定されている場合においても、前記携帯情報端末に備えられたスピーカから決済に特徴付けられた可聴音を出力する放音処理と、
前記ＩＣカードに記憶される前記残高情報から前記商品やコンテンツの購入に関して支払うべき前記請求情報の引き去りを行う決済処理と、を実行させることを特徴とする
情報処理プログラム。
【手続補正２】
【補正対象書類名】明細書
【補正対象項目名】発明の名称
【補正方法】変更
【補正の内容】
【発明の名称】携帯情報端末及び情報処理方法及び情報処理プログラム
【手続補正３】
【補正対象書類名】明細書
【補正対象項目名】０００８
【補正方法】変更
【補正の内容】
【０００８】
本発明に係る携帯情報端末は、
残高情報とカード識別情報を含んだカード情報を記憶するＩＣカードに近接させることで、前記残高情報に基づいて請求情報の決済処理を実行するインターネット接続機能を備えた携帯情報端末において、
前記ＩＣカードと近接させることで、前記ＩＣカードから前記カード情報を取得する端末側アンテナと、
ユーザが前記携帯情報端末においてインターネット接続によるネットショッピングを行った際、購入する商品やコンテンツを確定した後、ユーザに前記携帯情報端末への前記ＩＣカードの近接操作を促す近接操作要求処理と、
前記近接操作において、前記端末側アンテナを介して前記ＩＣカードと通信した際に、前記携帯情報端末がミュート状態に設定されている場合においても、前記携帯情報端末に備えられたスピーカから決済に特徴付けられた可聴音を出力する放音処理と、
前記ＩＣカードに記憶される前記残高情報から前記商品やコンテンツの購入に関して支払うべき前記請求情報の引き去りを行う決済処理と、を実行する制御手段と、を備えたことを特徴とする。
【手続補正４】
【補正対象書類名】明細書
【補正対象項目名】０００９
【補正方法】変更
【補正の内容】
【０００９】
さらに本発明に係る携帯情報端末において、
前記制御手段は、
前記近接操作にて前記ＩＣカードから読み取った前記カード識別情報と、前記携帯情報端末に設けられた記憶手段に予め記憶された登録識別情報を照合する事前認証処理を実行し、
前記事前認証処理にて認証された場合、前記ＩＣカードに記憶される前記残高情報から
前記請求金額の引き去りを行う決済処理を実行することを特徴とする。
【手続補正５】
【補正対象書類名】明細書
【補正対象項目名】００１０
【補正方法】変更
【補正の内容】
【００１０】
さらに本発明に係る携帯情報端末は、
前記カード識別情報及び登録識別情報は、前記ＩＣカードの券面に表記された第１のカード識別情報又は前記ＩＣカードの券面に表記されていない第２のカード識別情報であることを特徴とする。
【手続補正６】
【補正対象書類名】明細書
【補正対象項目名】００１１
【補正方法】変更
【補正の内容】
【００１１】
さらに本発明に係る情報処理方法は、
残高情報とカード識別情報を含んだカード情報を記憶するＩＣカードに近接させることで、前記残高情報に基づいて請求情報の決済処理を実行するインターネット接続機能を備えた携帯情報端末の制御手段によって実行される情報処理方法であって、
ユーザが前記携帯情報端末をインターネット接続してネットショッピングを行った際、購入する商品やコンテンツを確定した後、ユーザに前記携帯情報端末への前記ＩＣカードの近接操作を促す近接操作要求ステップと、
前記近接操作において、前記携帯情報端末に設けられた端末側アンテナを介して前記ＩＣカードと通信した際に、前記携帯情報端末がミュート状態に設定されている場合においても、前記携帯情報端末に備えられたスピーカから決済に特徴付けられた可聴音を出力する放音ステップと、
前記ＩＣカードに記憶される前記残高情報から前記商品やコンテンツの購入に関して支払うべき前記請求情報の引き去りを行う決済処理ステップと、を含むことを特徴とする。
さらに本発明に係る情報処理プログラムは、
残高情報とカード識別情報を含んだカード情報を記憶するＩＣカードに近接させることで、前記残高情報に基づいて請求情報の決済処理を実行するインターネット接続機能を備えた携帯情報端末において実行可能な情報処理プログラムであって、
前記携帯情報端末の制御手段に、
ユーザが前記携帯情報端末をインターネット接続してネットショッピングを行った際、購入する商品やコンテンツを確定した後、ユーザに前記携帯情報端末への前記ＩＣカードの近接操作を促す近接操作要求処理と、
前記近接操作において、前記携帯情報端末に設けられた端末側アンテナを介して前記ＩＣカードと通信した際に、前記携帯情報端末がミュート状態に設定されている場合においても、前記携帯情報端末に備えられたスピーカから決済に特徴付けられた可聴音を出力する放音処理と、
前記ＩＣカードに記憶される前記残高情報から前記商品やコンテンツの購入に関して支払うべき前記請求情報の引き去りを行う決済処理と、を実行させることを特徴とする。